(57)【要約】      （修正有）【課題】ボールに対してバックスピンを容易にかけることを可能とする構造の、ゴルフクラブを提供する。【解決手段】溝を有する薄い厚みのフェース部１と、シャフトが差し込まれソール部２などで構成されるクラブの主部３と、フェース部１とクラブの主部３の間にある樹脂などの低反発の緩衝部材４からなる。フェース部１がたわみやすく反発しにくい構造を持つことを特徴とし、緩衝部４の働きにより、フェース部１が、ボールと衝突することによってたわんだ状態から戻ろうとする反発を遅くすることで、フェース部１がたわんだ凹面の状態で打ち出すことが出来るため、ボールに対してバックスピンを容易にかけることを可能とする。【選択図】図３
0003140051.tif 000002
【実用新案登録請求の範囲】
【請求項１】
ゴルフクラブにおいて、溝を有する薄い厚みのフェース部１と、シャフトが差し込まれソール部２などで構成されるクラブの主部３と、フェース部１とクラブの主部３の間にある樹脂などの低反発の緩衝部材４からなり、クラブとボールが当たる瞬間にフェース部１がたわみやすく反発しにくい構造を持つことを特徴とし、フェース部１と主部３の間にある低反発の緩衝部材４の働きにより、フェース部１が、ボールと衝突することによってたわんだ状態から戻ろうとする反発を遅くすることで、フェース部１がたわんだ凹面の状態でボールを打ち出すことが出来るため、ボールに対してバックスピンを容易にかけることを可能としたことを特徴するゴルフクラブ。
【請求項２】
ゴルフクラブにおいて、溝を有する薄い厚みのフェース部１と、シャフトが差し込まれソール部２などで構成され、流体による緩衝部を有するクラブの主部３からなり、流体による緩衝部は流体室４とダンパー部５、チェック弁６、チョーク７により構成される流体の特性を利用したダンパー機構により、フェース部１がたわみやすく反発しにくい構造を持つことを特徴とし、フェース部１と主部３の間にある流体による緩衝部の働きにより、フェース部１が、ボールと衝突することによってたわんだ状態から戻ろうとする反発を遅くすることで、フェース部１がたわんだ凹面の状態でボールを打ち出すことが出来るため、ボールに対してバックスピンを容易にかけることを可能としたことを特徴するゴルフクラブ。
【考案の詳細な説明】
【技術分野】
【０００１】本考案は、ゴルフ競技に使用するゴルフクラブに関する。
【背景技術】
【０００２】ゴルフ競技におけるグリーン周りのアプローチショットは、ボールをカップへ近づける事によってパッティングを容易にするために、高い精度が要求される。アプローチショットには転がすピッチアンドランと、高く上げて止めるロブショットが代表されるが、ロブショットにはボールを止めるためにバックスピンをかける必要がある。従来の技術では、ボールの捕まりをよくするためにフェース面の溝の形状について、摩擦係数を上げるために表面処理や面を粗くする仕上げ方法や、クラブの形状や材料などの検討はされているが、ボールを止めるバックスピンは容易にかけることは出来ておらず、競技者の熟練された高度な技術によりバックスピンはかけられている。
【考案が解決しようとする課題】
【０００３】本考案の課題は、ボールに対してバックスピンを容易にかけることを可能とする構造の、ゴルフクラブを提供することである。
【課題を解決するための手段】
【０００４】溝を有する薄い厚みのフェース部１と、シャフトが差し込まれソール部２などで構成されるクラブの主部３と、フェース部１とクラブの主部３の間にある低反発の樹脂などの緩衝部材４からなり、クラブとボールが当たる瞬間にフェース部１がたわみやすく反発しにくいことを特徴とし、フェース部１と主部３の間にある低反発の緩衝部材４の働きにより、フェース部１が、ボールと衝突することによってたわんだ状態から戻ろうとする反発を遅くすることで、フェース部１がたわんだ凹面の状態でボールを打ち出すことが出来るため、ボールに対してバックスピンを容易にかけることを可能とした。
【考案を実施するための最良の形態】
【０００５】以下、本考案の実施の形態を図面により説明する。図１は本考案のゴルフクラブの断面図を示す。図２と図３は本考案のゴルフクラブにおいてのボールとクラブが当たった瞬間の挙動を示す。図４は本考案の実施の形態の他の例である。図５と図６は流体の特性を利用したダンパー機構を示す断面図である。【０００６】本考案のゴルフクラブは、図１において、溝を有する薄い厚みのフェース部１と、シャフトが差し込まれソール部２などで構成されるクラブの主部３と、フェース部１とクラブの主部３の間にある低反発の樹脂などの緩衝部材４からなる。【０００７】図２において、ボールがフェース部１に当たった衝撃によりフェース部１はたわむことで凹面となる。そのためにフェース部１にある溝の角は内側に狭くなることでボールを挟み込む効果と、ボールの外殻にそってフェース部１がたわむために接触面積が大きくなることによって摩擦係数を上げる効果により、ボールへ対してバックスピンをかけることを容易にすることを可能とする。【０００８】図３において、低反発の緩衝部材４の働きによりフェース部１が反発により戻ろうとする動きを遅くすることが出来る為、ボールと接触する時間を長くすることを可能とするとともに、フェース部１がたわんだ凹面の状態でボールの下を擦るように打ち出すことが可能となり、バックスピンを容易にかけることを可能とする。【０００９】図４は、本考案の実施の形態の他の例である。溝を有する薄い厚みのフェース部１と、シャフトが差し込まれソール部２などで構成されるクラブの主部３からなる。クラブの主部３には、フェース部１の後方に、流体室４とゴムなどの弾性体によるプラダやダイヤフラムなどの蓄圧部を持つダンパー部５を有し、流体室４とダンパー部５は流体が充填されており、チェック弁６とチョーク７の流路によってつながっている。【００１０】図５において、ボールがフェース部１に当たった衝撃により、フェース部１はたわむために、流体室４の流体は、チェック弁６とチョーク７を通り、ダンパー部５へ流れ、プラダやダイヤフラムなどの蓄圧部を膨らませる。【００１１】図６において、フェース部１の反発により、フェース部１が凹面の状態から平面に戻る時、ダンパー部５より流体室４へ流体が流入するが、流体はチェック弁６を流れることが出来ず、チョーク７だけを通って流れる。チョーク７の流路断面積を小さくして流体に抵抗をあたえることで、フェース部１が凹面の状態から平面に戻る時間を遅くすることを可能とする。【００１２】チェック弁６とチョーク７は流路断面積を調整できる構造とすることや、流体の粘度を変えることにより、フェース部１のたわみ量や、フェース部が凹面より平面に戻る時間を競技者の好みにあわせて調整することを可能とする。
【考案の効果】
【００１３】従来のゴルフクラブでは、グリーン周りにおけるアプローチ時のロブショットにおいて、ボールを高く上げてグリーンに止めるために必要とされる、ボールに対してバックスピンをかけるためには、競技者の熟練した高度な技術を必要としている。
本考案のゴルフクラブにより、バックスピンを容易にかけることを可能とすることで、競技者はアプローチのロブショットにおいて、ボールをカップの近くに寄せる確率が高くなり、次のパッティングを容易にすることができるため、スコアアップの可能性を高くすることが出来る。
【図面の簡単な説明】
【図１】は  本考案のゴルフクラブの断面図である。
【図２】は  本考案のゴルフクラブにおいてのボールとクラブが当たった瞬間の挙動を示す断面図である。
【図３】は  本考案のゴルフクラブにおいてのボールとクラブが当たった瞬間の挙動を示す断面図である。
【図４】は  本考案の実施の形態の他の例である。
【図５】は  流体の特性を利用したダンパー機構の挙動を示す断面図である
【図６】は  流体の特性を利用したダンパー機構の挙動を示す断面図である
【図１】
0003140051.tif 000003
【図２】
0003140051.tif 000004
【図３】
0003140051.tif 000005
【図４】
0003140051.tif 000006
【図５】
0003140051.tif 000007
【図６】
0003140051.tif 000008